(57)【要約】  本発明は、風呂に入れた愛玩動物の毛が水にぬれた状態において、水を蒸発させて毛を乾燥するために、愛玩動物を本体筒体部に設けられた出入開閉門を通じて収容空間部に収容し、本体筒体部の上部に設けられた上部フレームに備えられた適正な熱を発生させる吸入管を通じて吸入された熱空気が収容空間部と連通された空気吸入渦流発生誘導管を通じて収容空間部に渦流を発生させて、収容空間部に収容された愛玩動物の毛を適正な熱を有する渦流で、迅速でかつ安定的に乾燥させる。この渦流を排出管を通じて外部に排出させ、愛玩動物で発生した水は下部支えフレームの排水孔を通じて外部に排出するようにして、風呂に入れた愛玩動物の毛を乾燥させる間、愛玩動物が安定的に収容空間部に収容されるようにする。
2019512203.tif 000002
【特許請求の範囲】
【請求項１】
内部に外側が結合される板フレーム１１と、
前記板フレーム１１の上部両側には吸入ファン１２ａ及び加熱部材１２ｂを有する吸入管１２が貫通形成され、両前記吸入管１２の間には排気ファン１３ａを有する排気管１３が前記板フレーム１１の上部に貫通形成され、前記排気管１３の両側にはランプ１４ａを有するランプ管１４が前記板フレーム１１の上部に貫通形成され、前記板フレーム１１を備えた上部フレーム１０と、
前記上部フレーム１０の上部をカバーするように前記上部フレーム１０の上部に設けられた上部カバー２０と、
前記上部フレーム１０が上部に安着し、内部に愛玩動物が収容される収容空間部３１を有する本体筒体部３０と、
前記本体筒体部３０の前記収容空間部３１の両内側面の前記吸入管１２と連結された流入孔４１が上部に形成され、下部に形成された排気孔４３の内側面に傾斜部４２が形成されて、前記吸入管１２から供給を受けた吸入空気を前記流入孔４１を経て前記傾斜部４２を通じて排出される排出空気が、前記排気孔４３と連通された前記収容空間部３１の内部で渦流発生させるように備えられた空気吸入渦流発生誘導管４０と、
前記本体筒体部３０の一側に形成された開放部５１と、
前記開放部５１に開閉されるように設けられた出入開閉門５０と、
前記本体筒体部３０の下部に結合され、多数個の筒孔６１ａを備えた支え板６１が上部に設置され、一側に排水口６２が形成され、下部面に多数個の移動輪６３を備えた下部支えフレーム６０と、で構成されることを特徴とする、愛玩動物用乾燥装置。
【請求項２】
前記空気吸入渦流発生誘導管４０で発生した渦流は、前記空気吸入渦流発生誘導管４０の前記排気孔４３を通じて前記収容空間部３１の内部で渦流が発生させるようにし、
前記空気吸入渦流発生誘導管４０の前記排気孔４３は、前記支え板６１を貫通して前記下部支えフレーム６０の下部と連通されて前記空気吸入渦流発生誘導管４０から供給される吸入空気を前記下部支えフレーム６０の下部に供給することを特徴とする、請求項１に記載の愛玩動物用乾燥装置。
【請求項３】
支え板６１の両側に形成された連通溝６１ｂが設けられ、前記連通溝６１ｂに前記空気吸入渦流発生誘導管４０の下部が挿入されて前記空気吸入渦流発生誘導管４０の下部が前記下部支えフレーム６０の下部内部に延びるように設けられることを特徴とする、請求項２に記載の愛玩動物用乾燥装置。
【請求項４】
吸入管１２の下部に上広下狭の漏斗形態の吸入誘導管４１ａが組み立てられることを特徴とする、請求項１に記載の愛玩動物用乾燥装置。
【請求項５】
ランプ１４ａはＬＥＤランプで構成されることを特徴とする、請求項１に記載の愛玩動物用乾燥装置。
【請求項６】
上部カバー２０の上部には多数個の換気孔２１が形成されることを特徴とする、請求項１に記載の愛玩動物用乾燥装置。
【請求項７】
下部支えフレーム６０の下部に多数個の半円型溝部６４が形成され、前記半円型溝部６４に結合されるように上部に結合安着部６５ａを備えた半円形体６５が設けられ、前記半円形体６５の一側は前記下部支えフレーム６０の下部外側に露出するように設けられ、前記半円形体６５の下部に形成された設置溝部６５ｂに前記移動輪６３が設けられることを特徴とする、請求項１に記載の愛玩動物用乾燥装置。
【請求項８】
空気吸入渦流誘導発生管４０の外側面は前記本体筒体部３０の外側面に突出するように形成され、両前記空気吸入渦流誘導発生管４０の内側面は前記収容空間部３１の内側面と連通するように設けられることを特徴とする、請求項１に記載の愛玩動物用乾燥装置。
【請求項９】
出入開閉門５０の一側は前記本体筒体部３０の前記開放部５１の一側に複数個の蝶番５０ａにより固定設置され、前記出入開閉門５０の外側他側面に開閉取っ手５０ｂが設けられ、前記出入開閉門５０に形成された開放部５１ａには透明ウィンドウ５１ｂが形成されることを特徴とする、請求項１に記載の愛玩動物用乾燥装置。
【請求項１０】
空気吸入渦流誘導発生管４０の上部の外側に形成された挿入口４０ａと、前記空気吸入渦流誘導発生管４０の下部に形成された結合溝４０ｂとが設けられ、前記挿入口４０ａは前記上部フレーム１０の内側面に結合され、前記結合溝４０ｂは前記下部支えフレーム６０に外側に突出形成された突出安着部６６に結合されることを特徴とする、請求項１に記載の愛玩動物用乾燥装置。
【発明の詳細な説明】
【技術分野】
【０００１】
本発明は愛玩動物用乾燥装置に関する。より詳しくは、風呂に入れた愛玩動物である子犬または猫の毛は水にぬれた状態において、水を蒸発させて毛を乾燥させる。そのために、愛玩動物を本体筒体部に設けられた出入開閉門を通じて収容空間部に収容する。本体筒体部の上部に設けられ、上部フレームに備えられた適正な熱を発生させる吸入管を通じて吸入された熱空気が収容空間部に連通された空気吸入渦流発生誘導管を通じて収容空間部に渦流を発生させる。収容空間部に収容された愛玩動物の毛を適正な熱を有する渦流で、迅速でかつ安定的に乾燥させ、この渦流をまた排出管を通じて外部に排出させる。毛が乾燥された愛玩動物で発生した水は下部支えフレームの排水孔を通じて外部に排出するようにする。風呂に入れた愛玩動物の毛を乾燥させる間、愛玩動物が安定的に収容空間部に収容されるようにして、愛玩動物の毛を迅速でかつ安定的に乾燥させるようにした愛玩動物用乾燥装置に関する。
【背景技術】
【０００２】
一般に、子犬や猫などの愛玩動物は室内で人と共に生活するので清潔さを気にしなければならない。従って、よく風呂に入れて愛玩動物の特有の臭い及び悪臭を除去し、毛に含まれた細菌やダニ、ホコリなどを除去することによって清潔状態を維持しなければならない。
【０００３】
清潔状態を維持するためには猫または子犬などを含む愛玩動物を風呂に入れた後、乾燥するために使用者はタオルで水分を除去した後、ドライヤーなどの器具を用いて熱風を加えて乾燥するようにする。
【０００４】
ところで、広く知られたように、愛玩動物をタオルで拭う間、愛玩動物が抵抗する場合が多くて使用者と愛玩動物両方ともストレスを受ける場合が多かった。
【０００５】
また、愛玩動物は風呂に入れた後、毛を乾燥させる過程で愛玩動物が体を激しく揺さぶって自ら体についた水気を払いのける時、毛と水滴が飛散して周辺を汚して、愛玩動物の大部分はじっとしていないで、逃げたりたくさん動いたりするので、タオルやドライヤーなどを使用してぬれた毛を乾かすことに多くの時間と労力を必要とする問題点があった。
【発明の概要】
【発明が解決しようとする課題】
【０００６】
前記のような問題点を解決するために、本発明は風呂に入れた愛玩動物である子犬または猫の毛は水にぬれた状態で水を蒸発させて毛を乾燥するために、愛玩動物を本体筒体部に設けられた出入開閉門を通じて収容空間部に収容し、本体筒体部の上部に設けられた上部フレームに備えられた適正な熱を発生させる吸入管を通じて吸入された熱空気を収容空間部と連通された空気吸入渦流発生誘導管を通じて収容空間部に渦流を発生させて収容空間部に収容された愛玩動物の毛を適正な熱を有する渦流で、迅速でかつ安定的に乾燥させ、この渦流をまた排出管を通じて外部に排出させ、毛が乾燥された愛玩動物で発生した水は下部支えフレームの排水孔を通じて外部に排出するようにして、風呂に入れた愛玩動物の毛を乾燥させる間、愛玩動物が安定的に収容空間部に収容されるようにして、愛玩動物の毛を迅速でかつ安定的に乾燥させるようにした新たな愛玩動物用乾燥装置を提供することをその目的とする。
【課題を解決するための手段】
【０００７】
このような目的を達成するために、本発明は内部に外側が結合される板フレームと、前記板フレームの上部両側に吸入ファン及び加熱部材を有する吸入管が貫通形成され、両前記吸入管の間に排気ファンを有する排気管が前記板フレームの上部に貫通形成され、前記排気管の両側にランプを有するランプ管が前記板フレームの上部に貫通形成され、前記板フレームを備えた上部フレーム及び前記上部フレームの上部をカバーするように前記上部フレームの上部に設けられた上部カバーと；前記上部フレームが上部に安着し、内部に愛玩動物が収容される収容空間部を有する本体筒体部、及び前記本体筒体部の前記収容空間部の両内側面の前記吸入管と連結された流入孔が上部に形成され、下部に形成された排気孔は内側面に傾斜が形成されて前記吸入管から供給を受けた吸入空気を前記流入孔を経て前記傾斜部を通じて排出される排出空気が前記排気孔と連通された前記収容空間部の内部で渦流発生させるように備えられた空気吸入渦流発生誘導管と；前記本体筒体部の一側に形成された開放部と、前記開放部に開閉されるように設けられた出入開閉門及び前記本体筒体部の下部に結合され、多数個の筒孔を備えた支え板が上部に設けられ、一側に排水口が形成され、下部面に多数個の移動輪を備えた下部支えフレームとから構成されることを特徴とする。
【０００８】
また、前記空気吸入渦流発生誘導管で発生した渦流は、前記空気吸入渦流発生誘導管の前記排気孔を通じて前記収容空間部の内部で渦流が発生するようにし、前記空気吸入渦流発生誘導管の前記排気孔は前記支え板を貫通して前記下部支えフレームの下部と連通されて前記空気吸入渦流発生誘導管から供給される吸入空気が前記下部支えフレームの下部に供給されることを特徴とする。
【０００９】
また、前記支え板の両側に形成された連通孔と、前記連通溝に前記空気吸入渦流発生誘導管の下部が挿入されて、前記空気吸入渦流発生誘導管の下部が前記下部支えフレームの下部内部に延びるように設けられることを特徴とする。
【００１０】
また、前記ランプはＬＥＤランプで構成されることを特徴とする。
【００１１】
また、前記上部カバーの上部には多数個の換気孔が形成されることを特徴とする。
【００１２】
また、前記下部支えフレームの下部に多数個の半円型溝部が形成され、前記半円型溝部に結合されるように上部に結合安着部を備えた半円形体と、前記半円形体の一側は前記下部支えフレームの下部外側に露出するように設けられ、前記半円形体の下部に形成された設置溝部に前記移動輪が設けられることを特徴とする。
【００１３】
また、両前記空気吸入渦流誘導発生管の外側面は前記本体筒体部の外側面に突出するように形成され、両前記空気吸入渦流誘導発生管の内側面は前記収容空間部の内側面と連通されるように設けられることを特徴とする。
【００１４】
また、前記出入開閉門の一側は前記本体筒体部の前記開放部の一側に複数個の蝶番により固定設置され、前記出入開閉門の外側他側面に開閉取っ手が設けられ、前記出入開閉門に形成された開放部には透明ウィンドウが形成されることを特徴とする。
【００１５】
また、前記空気吸入渦流誘導発生管の上部の外側に形成された挿入口と、前記空気吸入渦流誘導発生管の下部に形成された結合溝と、前記挿入口は前記上部フレームの内側面に結合され、前記結合溝は前記下部支えフレームに外側に突出形成された突出安着部に結合されることを特徴とする。
【発明の効果】
【００１６】
本発明は、風呂に入れた愛玩動物である子犬または猫の毛は水にぬれた状態で水を蒸発させて毛を乾燥するために、愛玩動物を本体筒体部に設けられた出入開閉門を通じて収容空間部に収容し、本体筒体部の上部に設けられた上部フレームに備えられた適正な熱を発生させる吸入管を通じて吸入された熱空気を収容空間部と連通された空気吸入渦流発生誘導管を通じて収容空間部に渦流を発生させて収容空間部に収容された愛玩動物の毛を適正な熱を有する渦流で、迅速でかつ安定的に乾燥させ、この渦流をまた排出管を通じて外部に排出させ、毛が乾燥された愛玩動物で発生した水は下部支えフレームの排水孔を通じて外部に排出するようにして、風呂に入れた愛玩動物の毛を乾燥させる間、愛玩動物が安定的に収容空間部に収容されるようにして、愛玩動物の毛を迅速でかつ安定的に乾燥させる効果を有する。
【図面の簡単な説明】
【００１７】
【図１】本発明に係る斜視図である。
【図２】本発明に係る分離斜視図である。
【図３】本発明に係る概略断面図である。
【図４】本発明に係る空気吸入渦流発生誘導管を示す概略図である。
【図５】本発明に係る空気吸入渦流発生誘導管と支え板の連通孔とが結合されたことを示す概略図である。
【図６】本発明に係る上部フレームと、下部支えフレームと空気吸入渦流発生誘導管との結合関係を示す概略図である。
【図７】本発明に係る下部支えフレームに設けられる半円形体を示す概略図である。
【図８】本発明に係る半円形体の設置溝部を示す概略図である。
【図９】本発明に係る底面図である。
【発明を実施するための形態】
【００１８】
本発明を十分に理解するために本発明の好ましい実施形態を添付図面を参照して説明する。
【００１９】
本発明の実施形態は種々の形態に変形されることができ、本発明の範囲が以下に詳細に説明する実施形態に限定されるものとして解析されてはならない。本実施形態は当業界で平均的な知識を有する者に本発明をより安全に説明するために提供されるものである。
【００２０】
したがって、図面での要素の形状などはより明確な説明を強調するために誇張して表現されることがある。各図面で同一な部材は同一な参照符号として図示した場合があることに留意すべきである。
【００２１】
図１は本発明に係る斜視図で、図２は本発明に係る分離斜視図で、図３は本発明に係る概略断面図で、図４は本発明に係る空気吸入渦流発生誘導管を示す概略図で、図５は本発明に係る空気吸入渦流発生誘導管と支え板の連通孔とが結合されたことを示す概略図で、図６は本発明に係る上部フレームと、下部支えフレームと空気吸入渦流発生誘導管との結合関係を示す概略図で、図７は本発明に係る下部支えフレームに設けられる半円形体を示す概略図で、図８は本発明に係る半円形体の設置溝部を示す概略図で、図９は本発明に係る底面図である。
【００２２】
本発明に係る愛玩動物用乾燥装置は、図１から図９に図示されたことを参考しつつ詳細に説明すると、次の通りである。
【００２３】
本発明に係る愛玩動物用乾燥装置は、上部フレーム１０と、上部カバー２０と、本体筒体部３０と、空気吸入渦流発生誘導管４０と、出入開閉門５０と、下部支えフレーム６０とから構成される。
【００２４】
前記上部フレーム１０の内部に外側が結合される板フレーム１１で構成される。
【００２５】
前記板フレーム１１の上部両側に吸入ファン１２ａ及び加熱部材１２ｂを有する吸入管１２が貫通形成されて構成される。
【００２６】
両前記吸入管１２の間に排気ファン１３ａを有する排気管１３が前記板フレーム１１の上部に貫通形成されて構成される。
【００２７】
前記排気管１３の両側にランプ１４ａを有するランプ管１４が前記板フレーム１１の上部に貫通形成されて構成される。
【００２８】
前記上部フレーム１０は、前記本体筒体部３０の上部に円形に形成されて構成される。
【００２９】
また、前記上部フレーム１０の内側周りに外側周りが結合設置される板フレーム１１で構成される。
【００３０】
前記板フレーム１１は円形に形成されて、円形に形成された前記上部フレーム１０の内側周りに設置されて構成される。
【００３１】
前記板フレーム１１の中央に中央結合孔１１ａが形成され、前記中央結合孔１１ａの外側周りに４個の結合孔１１ｂが形成されて構成される。
【００３２】
前記中央結合孔１１ａにはモーターで駆動される排気ファン１３ａの内側に備えられた排気管１３が設置されて構成される。
【００３３】
４個の前記結合孔１１ｂのうち、二つの前記結合孔１１ｂにはモーターで駆動される吸気ファン１２ａと、加熱部材１２ｂを備えた吸入管１２が設置されて構成される。
【００３４】
また、４個の前記結合孔１１ｂのうち、二つの前記結合孔１１ｂにＬＥＤランプで構成されたランプ１４ａを備えたランプ管１４が設置されて構成される。
【００３５】
前記吸入ファン１２ａ、前記加熱部材１２ｂ、前記排気ファン１３ａ、及び前記ランプ１４ａは、マイコン制御部７０で制御されるように構成される。
【００３６】
特に、前記加熱部材１２ｂは愛玩動物である子犬または猫のぬれた毛を効果的に乾燥させるための温度を一定の温度に一定時間の間発生させるように温度調節部（図示せず）及びタイマー部（図示せず）を備えて構成される。
【００３７】
前記温度調節部及びタイマー部は、前記マイコン制御部７０で制御されるように構成される。
【００３８】
前記マイコン制御部７０から制御を受けるように構成される。
【００３９】
また、前記吸入ファン１２ａと前記排気ファン１３ａの作動時間を前記マイコン制御部７０で制御するように構成される。
【００４０】
また、前記ランプ１４ａのオン及びオフとランプ１４ａの作動時間を前記マイコン制御部７０で制御するように構成される。
【００４１】
前記上部カバー２０は、前記上部フレーム１０の上部をカバーするように前記上部フレーム１０の上部に設置されて構成される。
【００４２】
前記上部カバー２０の下部は、前記上部フレーム１０の上部と結合されて構成される。
【００４３】
したがって、前記上部カバー２０の下部は円形に形成されて前記上部フレーム１０の円形に形成された上部と結合されるように構成される。
【００４４】
また、前記上部カバー２０の上部には多数個の換気孔２１が形成されて構成される。
【００４５】
前記換気孔２１は前記上部カバー２０の上部中央に一つと、外側周りに二つが設置されて総３個で設置されて構成されることが好ましい。
【００４６】
上記のように、前記上部カバー２０に前記換気孔２１を形成することは、前記吸入管１２の前記吸入ファン１２ａと、前記排気管１３の前記排気ファン１３ａが作動できない場合、後述する前記本体筒体部３０の収容空間部３１に収容される愛玩動物が息をすることに支障のないようにするためである。
【００４７】
また、前記上部カバー２０の上部中央に形成された前記換気孔２１は前記排気管１３の上部と連係して構成され、前記上部カバー２０の上部の両側に形成された前記換気孔２１は前記吸気管１２の上部と連係して構成される。
【００４８】
前記本体筒体部３０は前記上部フレーム１０が上部に安着して結合され、内部に愛玩動物が収容される収容空間部３１が形成されて構成される。
【００４９】
前記本体筒体部３０は、上・下部が開放された状態で構成される。
【００５０】
即ち、上・下部が開放された円筒で前記本体筒体部３０が形成されて構成される。
【００５１】
前記本体筒体部３０の内部に形成された前記収容空間部３１には後述する前記支え板６１が前記本体筒体部３０の下部に結合され、前記本体筒体部３０の外側周りに形成された開放部５１を通じて愛玩動物が前記収容空間部３１の内部に収容されるように構成される。
【００５２】
前記開放部５１には愛玩動物が入出できるように後述する出入開閉門５０が設置されて構成される。
【００５３】
前記空気吸入渦流発生誘導管４０は上部に流入孔４１が形成され、前記空気吸入渦流発生誘導管４０の下部には排気孔４３が形成されて構成される。
【００５４】
前記流入孔４１は、前記吸入管１２の下部と連結された吸入誘導管４１ａの下部と連結されて構成される。
【００５５】
前記吸入誘導管４１ａは、上広下狭の漏斗形態に前記吸入管１２から供給される吸入空気を前記吸入誘導管４１ａの内部上部から下部に移動時、急速の吸入空気が発生して前記空気吸入渦流発生誘導管４０の前記流入孔４１に供給され、前記空気吸入渦流発生誘導管４０の前記排気孔４３及び前記傾斜部４２を通じて急流の渦流が発生するように誘導されるように構成される。
【００５６】
前記排気孔４３の内部一側には、傾斜部４２が形成されて構成される。
【００５７】
このように、前記本体筒体部３０の前記収容空間部３１の両内側面に設けられた前記吸入管１２の下部と連結された前記流入孔４１で構成される。
【００５８】
即ち、前記空気吸入渦流発生誘導管４０は前記収容空間部３１の内部両側に設けられ、前記空気吸入渦流発生誘導管４０の前記流入孔４１は前記吸入管１２の下部と連結されて構成される。
【００５９】
両前記空気吸入渦流発生誘導管４０の両前記排気孔４３の内側面に傾斜部４２が形成される。両前記吸入管１２から供給を受けた吸入空気は両前記流入孔４１を経て両前記傾斜部４２を通じて排出される。両排出空気は両前記排気孔４３と連通された前記収容空間部３１の内部下部で上部の円形の曲面に沿って突き当てられて回転する。上記のように連続して前記収容空間部３１の曲面の内部で発生して回転される渦流（旋風）排出空気は、前記収容空間部３１の内部下部から上部に上昇して、排出空気は前記排気管１３に排出される。
【００６０】
したがって、前記収容空間部３１の内部下部から上部に回転される排出空気は、上部の前記吸入管１２の吸入力により前記収容空間部３１の内部下部から上部に渦流発生させるように備えられて構成される。
【００６１】
前記渦流で前記収容空間部３１に収容された愛玩動物である子犬、猫のぬれた毛を速かに乾燥させるようにする。
【００６２】
両前記空気吸入渦流発生誘導管４０は、前記吸入管１２から流入する吸入空気が、前記空気吸入渦流発生誘導管４０の前記流入孔４１、前記傾斜部４２、前記排気孔４３を通じて前記排気孔４３と連結された前記収容空間部３１の下部内部の曲面に突き当てられて前記曲面に沿って上部に連続的な渦流を発生させて前記収容空間部３１の内部に渦流、即ち旋風を発生させて前記収容空間部３１に収容される風呂に入った愛玩動物である子犬または猫のぬれた毛をより迅速で、かつ効果的に乾燥できるものである。
【００６３】
また、前記空気吸入渦流発生誘導管４０で発生した渦流は、前記空気吸入渦流発生誘導管４０の前記排気孔４３及び前記収容空間部の内部壁面である曲面を通じて前記収容空間部３１の内部で渦流を発生させるように構成される。
【００６４】
そして、前記空気吸入渦流発生誘導管４０の前記排気孔４３は、前記支え板６１を貫通して前記下部支えフレーム６０の下部と連通されて前記空気吸入渦流発生誘導管４０から供給される吸入空気を前記下部支えフレーム６０の下部に供給されるように構成される。
【００６５】
また、前記支え板６１の両側に形成された連通溝６１ｂで構成される。
【００６６】
前記連通溝６１ｂに前記空気吸入渦流発生誘導管４０の下部が挿入されて前記空気吸入渦流発生誘導管４０の下部が前記下部支えフレーム６０の下部内部に延びるように設置されて構成される。
【００６７】
上記のように、前記空気吸入渦流発生誘導管４０の下部前記排気孔４３について、前記支え板６１の両側に形成された連通溝６１ｂに連係されて前記空気吸入渦流発生誘導管４２で発生する渦流は、前記支え板６１の下部及び前記排気孔４３が露出した前記本体筒体部３０の前記収容空間部３１の内部の曲面下部及び、前記支え板６１に形成された前記筒孔６１ａを通じて前記収容空間部３１の上部に上昇するように構成されて、前記収容空間部３１の両側下部で、前記空気吸入渦流発生誘導管４０で発生する渦流と共に前記収容空間部３１の収容された愛玩動物のぬれた毛をより効果的に乾燥させるようにするものである。
【００６８】
一方、前記空気吸入渦流発生誘導管４０の前記吸入管１２で吸入された吸入空気については、前記流入孔４１を経てまた前記傾斜部４２で吸入空気は下部に吸入空気を傾斜するように送り、前記排気孔４３を通じて前記収容空間部３１の下部から上部に渦流が発生するようにする。このように発生した渦流はまた前記排気管１３を通じて前記上部カバー２０の前記換気孔２１を通じて外部に排出されるように構成される。
【００６９】
また、両前記空気吸入渦流誘導発生管４０の外側面は前記本体筒体部３０の外側面に突出するように形成されて構成される。
【００７０】
両前記空気吸入渦流誘導発生管４０の内側面は、前記収容空間部３１の内側面と連通されるように設置されて構成される。
【００７１】
そして、前記空気吸入渦流誘導発生管４０の上部の外側に形成された挿入口４０ａが構成される。
【００７２】
前記空気吸入渦流誘導発生管４０の下部に形成された結合溝４０ｂで構成される。
【００７３】
前記挿入口４０ａは前記上部フレーム１０の内側面に結合され、前記結合溝４０ｂは前記下部支えフレーム６０に外側に突出形成された突出安着部６６に結合されて構成される。
【００７４】
上記のように、前記空気吸入渦流誘導管４０の上・下部に前記挿入口４０ａ及び前記結合溝４０ｂが形成され、前記挿入口４０ａが前記上部フレーム１０の内側面に結合され、前記結合溝４０ｂが前記下部支えフレーム６０の前記突出安着部６６に結合されることは、前記空気吸入渦流誘導管４０の上部が前記上部フレーム１０に安定的に結合及び分離され、その下部が前記下部支えフレーム６０に安定的に結合及び分離されるようにするためである。
【００７５】
前記本体筒体部３０の一側に形成された開放部５１が設けられ、前記出入開閉門５０は、前記開放部５１に開閉されるように設置されて構成される。
【００７６】
前記出入開閉門５０を前記開放部５１で開閉して、前記開放部５１を通じて風呂に入った愛玩動物である子犬または猫が前記収容空間部３１の内部に入出されるように構成される。
【００７７】
一方、前記出入開閉門５０の一側は前記本体筒体部３０の前記開放部５１の一側に複数個の蝶番５０ａにより固定設置されて構成される。
【００７８】
また、前記出入開閉門５０の外側他側面に開閉取っ手５０ｂが設置されて構成される。
【００７９】
そして、前記出入開閉門５０に形成された開放部５１ａには透明ウィンドウ５１ｂが形成されて構成される。
【００８０】
前記透明ウィンドウ５１ｂを前記出入開閉門５０に設置することは、前記出入開閉門５０が設けられた前記開放部５１を形成した前記本体筒体部３０の前記収容空間部３１に収容される愛玩動物である子犬または猫の状態を確認するためであり、前記収容空間部３１に収容された愛玩動物が前記透明ウィンドウ５１ｂで愛玩動物の管理人を見ることができるようにして愛玩動物の心理的安定を誘導するためである。
【００８１】
前記下部支えフレーム６０は前記本体筒体部３０の下部に結合され、多数個の筒孔６１ａを備えた支え板６１が上部に設置されて構成される。
【００８２】
前記下部支えフレーム６０は円形に形成され、その外側周りに隔壁６０ａが前記円形に沿って形成されて構成される。前記下部支えフレーム６０の上部に前記本体筒体部３０の下部が結合されて構成される。
【００８３】
前記下部支えフレーム６０の下部の一側に排水口６２が形成されて構成される。
【００８４】
前記支え板６１は、風呂に入った愛玩動物が安定的に座ったり伏したりして、前記空気吸入渦流発生誘導管４０で発生した渦流で愛玩動物のぬれた毛を乾燥させ、ぬれた毛が乾燥される過程で愛玩動物の毛から落ちる水が前記筒孔６１ａを通じて前記排水口６２を経て外部に排出されるように構成される。
【００８５】
一方、前記支え板６１に形成された多数個の前記筒孔６１ａについては、前記吸入管１２と、前記吸入誘導管４１ａと、前記空気吸入渦流発生誘導管４０とを通じて発生した急流の吸入空気が前記支え板６１の両側に形成された前記連通溝６１ｂを通じて前記下部フレーム６０の下部面に突き当てられて上部に誘導されて、前記下部フレーム６０に安着した前記支え板６１の前記筒孔６１ａを通じて前記支え板６１と連通された前記本体筒体部３０の前記収容空間部３１の内部下部に供給される。前記収容空間部３１に、風呂に入って毛がぬれた状態の愛玩動物である子犬または猫が収容されて、前記支え板６１の前記筒孔６１ａを通じて前記収容空間部３１の下部から上部に供給された急流の空気が、前記支え板６１の上部と前記収容空間部３１に収容された子犬または猫の愛玩動物の足の裏、腹部、尻尾、お尻などの下身部分を速かに乾燥させるようにする。
【００８６】
前記下部支えフレーム６０の下部面には多数個の移動輪６３を備えられ、前記下部支えフレーム６０の移動を便利、かつ自由にする。
【００８７】
また、前記下部支えフレーム６０の下部に多数個の半円型溝部６４が形成されて構成される。
【００８８】
前記半円型溝部６４は、前記下部支えフレーム６３の側面とこの側面の下部面にＬ形状に形成されて構成される。
【００８９】
前記半円型溝部６４に結合されるように上部に結合安着部６５ａを備えた半円形体６５が構成される。
【００９０】
前記結合安着部６５ａはＬ形状に形成されて、前記半円型溝部６４のＬに結合されて構成される。
【００９１】
また、前記半円型溝部６４の側面には複数個の雌結合溝ａが形成され、両前記雌結合溝ａに結合されるように前記結合安着部６５ａの上部面に複数個の雄結合具ｂが形成されて構成される。
【００９２】
前記半円形体６５の一側は前記下部支えフレーム６０の下部外側に露出するように設置されて構成される。
【００９３】
前記半円形体６５の下部に形成された設置溝部６５ｂに前記移動輪６３が設置されて構成される。
【００９４】
上記のように、前記下部支えフレーム６０に、前記半円型溝部６４、前記結合安着部６５ａ、及び前記設置溝部６５ｂを構成することは、前記移動輪６３が備えられた前記半円形体６５を前記半円型溝部６４に一層容易に結合及び分離するためである。
【００９５】
また、前記半円形体６５が前記下部支えフレーム６０の下部外側周りに多数個に突出設置されることは、前記下部支えフレーム６０と結合される前記本体筒体部３０の前記収容空間部３１に愛玩動物が収容された時、前記上部フレーム１０及び前記上部カバー２０を上部に備え、下部に前記下部支えフレーム６０を備えた前記本体筒体部３０が左右及び前後方に倒れることを予防するためである。
【００９６】
前記上部フレーム１０の上部に前記吸入管１２と前記排気管１３と前記ランプ管１４とが多数個のボルト（図示せず）で固定される。このような前記上部フレーム１０は前記上部カバー２０と多数個のボルト（図示せず）で固定され、前記上部フレーム１０の下部は前記本体筒体部３０の上部と多数個のボルト（図示せず）で固定される。前記本体筒体部３０の下部は前記下部フレーム６０の上部と多数個のボルト（図示せず）で固定される。
【００９７】
したがって、前記上部フレーム１０、前記上部カバー２０、前記本体筒体部３０、及び前記下部フレーム６０は、多数個のボルト（図示せず）により組み立てられて構成される。
【００９８】
前述する本発明は、風呂に入れた愛玩動物である子犬または猫の毛は水にぬれた状態で水を蒸発させて毛を乾燥するために、愛玩動物を前記本体筒体部３０に設けられた前記出入開閉門５０を通じて前記収容空間部３１に収容する。前記本体筒体部３０の上部に設けられた前記上部フレーム１０に備えられた適正な熱を発生させる前記吸入管１２を通じて吸入された熱空気が、前記収容空間部３１と連通された前記空気吸入渦流発生誘導管４０を通じて前記収容空間部３１に渦流を発生させる。前記収容空間部３１に収容された愛玩動物の毛は、適正な熱を有する渦流で、迅速でかつ安定的に乾燥させられる。この渦流をまた前記排出管１３を通じて外部に排出させ、毛が乾燥された愛玩動物で発生した水は前記下部支えフレーム６０の前記排水口６２を通じて外部に排出するようにする。風呂に入れた愛玩動物の毛を乾燥させる間、愛玩動物が安定的に前記収容空間部３１に収容されるようにして、愛玩動物の毛を迅速でかつ安定的に乾燥させるためである。
【００９９】
以上、説明した本発明に係る実施形態は例示的なものに過ぎず、本発明が属する技術分野の通常の知識を有する者であれば、これから多様な変形及び均等な他実施形態が可能であるという点をよく知ることができることである。したがって、本発明は上記の詳細な説明で言及される形態のみに限定されるものではないことをよく理解することができる。
【０１００】
したがって、本発明の真の技術的保護範囲は添付した特許請求範囲の技術的思想により定まるべきである。また、本発明は添付した請求範囲により定義される本発明の精神とその範囲内にある全ての変形物と均等物及び代替物を含むものとして理解されるべきである。
【図１】
2019512203.tif 000003
【図２】
2019512203.tif 000004
【図３】
2019512203.tif 000005
【図４ａ】
2019512203.tif 000006
【図４ｂ】
2019512203.tif 000007
【図５】
2019512203.tif 000008
【図６】
2019512203.tif 000009
【図７】
2019512203.tif 000010
【図８】
2019512203.tif 000011
【図９】
2019512203.tif 000012
【国際調査報告】
2019512203.tif 000013
2019512203.tif 000014
2019512203.tif 000015
2019512203.tif 000016